(57)【要約】【課題】リアプロジェクタの背面を壁面にほぼ密着させて壁掛け設置することが可能で、剛性も有する外装を備えたリアプロジェクタを提供することを目的とする。【解決手段】リアプロジェクタ１は、外装２と、外装２の下面部２ｇの内面側に設けられ、光源部１１から射出し画像信号に応じて変調された光を射出する投射ユニット１０と、投射ユニット１０から射出した光を順に反射する３つの反射ミラーと、外装２の前面部２ａに設けられ、第３ミラー５０で反射した光が投射されるスクリーン３と、を有していて、外装２は、下面部２ｇと対向する上面部２ｃが前面部２ａと対向する第２背面部２ｆの側へ突起した凸状の形状であることを特徴とする。【選択図】図５
2008151827.tif 000002
【特許請求の範囲】
【請求項１】
筐体と、
前記筐体の底面部の側に設けられ、光源から射出し画像信号に応じて変調された光束を射出する投射ユニットと、
前記投射ユニットから射出した光束を順に反射する複数の反射ミラーと、
前記筐体の前面部に設けられ、前記反射ミラーで反射した光束が投射されるスクリーンと、を有するリアプロジェクタであって、
前記筐体は、前記底面部と対向する上面部から見て前記前面部と対向する背面部の側へ突起した凸状であることを特徴とするリアプロジェクタ。
【請求項２】
請求項１に記載のリアプロジェクタにおいて、
複数の前記反射ミラーのうちの一つは、前記上面部の内側に設けられ、入射した光束を前記スクリーンへ反射することを特徴とするリアプロジェクタ。
【請求項３】
請求項１または２に記載のリアプロジェクタにおいて、
前記筐体は、稜線部を骨組部材によって形成し、前記骨組部材へ外装パネルを取り付けた構成であることを特徴とするリアプロジェクタ。
【請求項４】
請求項１から３のいずれか一項に記載のリアプロジェクタにおいて、
前記筐体は、前記背面部によって壁掛け設置される際に、前記凸状をなす前記背面部の段差部に設置部材が設けられ、前記背面部の前記凸状の突起面と壁面とが密着するように設置されることを特徴とするリアプロジェクタ。
【発明の詳細な説明】
【技術分野】
【０００１】
本発明は、外装をなす筐体を備えたリアプロジェクタに関する。
【背景技術】
【０００２】
従来、リアプロジェクタの外装をなす筐体は、特許文献１および２に示すように、上面から見た形状が略台形形状をなしている。図７は、従来のリアプロジェクタの外観を示す斜視図である。リアプロジェクタ６０は、概略、図７に示す外観であって、外装６１と、外装６１の前面６１ａの側に設けられたスクリーン６２と、を備えている、外装６１は、前面６１ａの両側をそれぞれ形成する側面６１ｂと、略台形形状をなす上面６１ｃと、斜面６１ｄと、前面６１ａと対向しスクリーン６２へ光束を反射させる反射ミラーが内面側に取り付けられている背面６１ｅと、により構成されている。スクリーン６２へ光束を反射させる反射ミラーが背面６１ｅに取り付けられている場合、上面６１ｃは、光束の経路に沿って傾斜を有する設定でも良い。また、特許文献２では、斜面６１ｄが二点鎖線で示すようなアーク状をしており、外装の剛性を高める工夫がなされている。
【０００３】
【特許文献１】特開平９−９１８５号公報
【特許文献２】特開２００３−２４４５７４号公報
【発明の開示】
【発明が解決しようとする課題】
【０００４】
近年、リアプロジェクタ６０の前面６１ａと背面６１ｅとの奥行きを縮めて薄型化を図るために、例えば３つの反射ミラーによって光束を折り返す構成が用いられている。この薄型構成では、スクリーン６２へ光束を反射させる３つ目の反射ミラーが、外装６１の上面６１ｃの内部側に設けられている。そして、リアプロジェクタ６０が薄型化されれば、壁掛け形式による設置が望まれるようになっている。しかし、従来の技術では、３つ目の反射ミラーが設けられる略台形形状の上面６１ｃの剛性不足を補うためのリブ等の補強が必要という課題があった。さらに、斜面６１ｄを利用して壁掛け設置することは、バランス設定が困難なため、背面６１ｅを利用して設置することになり、背面６１ｅと壁との間に設置器具が設けられる。この設置の仕方では、設置器具の厚み分、リアプロジェクタ６０が壁面から突出してしまうという課題があった。
【０００５】
本発明は、上記課題を解決するために、リアプロジェクタの背面を壁面にほぼ密着させて壁掛け設置することが可能で、剛性も有する外装を備えたリアプロジェクタを提供することを目的とする。
【課題を解決するための手段】
【０００６】
本発明のリアプロジェクタは、筐体と、筐体の底面部の側に設けられ、光源から射出し画像信号に応じて変調された光束を射出する投射ユニットと、投射ユニットから射出した光束を順に反射する複数の反射ミラーと、筐体の前面部に設けられ、反射ミラーで反射した光束が投射されるスクリーンと、を有していて、筐体は、底面部と対向する上面部から見て前面部と対向する背面部の側へ突起した凸状であることを特徴とする。
【０００７】
このリアプロジェクタによれば、筐体の底部の側には投射ユニットなどの装置が配置されており、一方、上面部と背面部の上面部側とで形成される内部空間には、装置類が配置されておらず、スクリーンへ投射される光束の経路になっている。スクリーンへ投射される光束は、反射ミラーからスクリーンの方向へ反射して、スクリーンの大きさに合わせて投射範囲が拡大するように進行する。そのため、筐体は、光束の進行に合わせて、上面部方向から見て略台形形状にすることが、設定上において簡単な構成であるが、このような略台形形状の筐体は、筐体を構成するそれぞれの面が広いため、光束の経路である内部空間を形成する面に装置を取り付けた場合、装置による負荷荷重や外部からの付与圧に対して変形し易い。こうした変形は、光束の経路である内部空間を形成する各面において顕著である。そこで、略台形形状の斜線部を段差形状にして、筐体を上面部からから見て背面部の側へ突起した凸状の形状にすることにより、筐体を構成する稜線が増えて剛性を高めることが可能である。これにより、負荷荷重などに対して、筐体が変形し難くなる。この筐体構成により、光束の経路である内部空間を形成する各面であっても、複雑な補強リブの付加や面厚の増加をすることなく、装置等を、直接、設置することができ、装置配置の自由度を向上することが可能である。
【０００８】
この場合、複数の反射ミラーのうちの一つは、上面部の内側に設けられ、入射した光束をスクリーンへ反射することが好ましい。
【０００９】
この構成によれば、筐体は、上面部方向から見て凸状の形状であり、角部の多い形状のため、上面部が剛性を有する。そのため、上面部に特別な補強を施すことなく、スクリーンに近い上面部の内側に反射ミラーを設置することができ、スクリーンの上方側から光束を入射させることが可能である。これにより、投射ユニットからの光束をスクリーンへ進行させるための複数の反射ミラーの配置の自由度が確保され、筐体内部の任意の面に反射ミラーを割り当てることによって、最適な光束の経路を設定することが可能である。
【００１０】
この場合、筐体は、稜線部を骨組部材によって形成し、骨組部材へ外装パネルを取り付けた構成であることが好ましい。
【００１１】
この構成によれば、筐体は、外装パネルによって凸状の外観形状をなしており、これら外装パネルの各面によって形成されている稜線部には、外装パネルを取り付けるための骨組部材が形成されている。つまり、外装パネルを取り付ける前は、例えば棒材などの骨組部材で稜線部のみが形成された枠体の状態である。このように、骨組部材で筐体の稜線部を形成することにより、筐体は、凸状の形状をなす骨組部材による剛性の向上に加え、骨組部材に取り付けられる外装パネルの耐変形性能を向上させることが可能である。従って、外装パネルにリブ等の補強処置を行うことなどが不要である。
【００１２】
この場合、筐体は、背面部によって壁掛け設置される際に、凸状をなす背面部の段差部に設置部材が設けられ、背面部の凸状の突起面と壁面とが密着するように設置されることが好ましい。
【００１３】
この構成によれば、凸状の筐体を有するリアプロジェクタを壁に掛けて設置する場合、剛性の向上した筐体の段差部に設置部材を設けて、壁に取り付ける。段差部に設置部材を設ければ、設置部材が段差部の段差内に収まり、背面部の凸状の突起面より突出することがない。従って、背面部の突起面と壁面とを密着させて取り付けることが可能である。段差部がなければ、突起部と壁面との間に設置部材を設けるため、リアプロジェクタが壁面からより多く突出して、スクリーンの画像を見る者に威圧感を与える。本発明のプロジェクタでは、筐体が壁面と密着するため、壁面からの突出が押えられ、薄型感を強調することが可能である。
【発明を実施するための最良の形態】
【００１４】
以下、本発明を具体化した実施形態について図面に従って説明する。実施形態では、３つの反射ミラーを備えたリアプロジェクタを例にして説明する。このリアプロジェクタは、光源部からの光（光束）を色光毎に液晶パネルで変調し、変調した色光を合成したカラー画像をスクリーンへ投射する方式のものである。ここで、反射ミラーは、投射ユニットからスクリーンへ光を導くためのものである。
（実施形態）
【００１５】
図１は、リアプロジェクタの外観を示す斜視図である。リアプロジェクタ１は、外観を形成する外装（筐体）２と、外装２の前面部２ａの側に設けられカラー画像を表示するためのスクリーン３と、同じく前面部２ａの側の下部に設けられたスピーカ部４と、を備えている。外装２は、前面部２ａの両側をそれぞれ形成する側面部２ｂと、前面部２ａと連続し前面部２ａに対して反対側が突起した凸状の形状を有する上面部２ｃと、前面部２ａに対向して凸状の形状の段差部を形成する凸状側面部２ｄおよび第１背面部２ｅと、凸状の形状の突起面を形成する第２背面部２ｆと、上面部２ｃと対向する下面部２ｇと、により構成されている。外装２の各面部が交差して形成される角部の線状部分が、稜線部５である。また、スクリーン３は、上下方向より左右の側面部２ｂの方向に長い横長の矩形形状である。
【００１６】
図２は、リアプロジェクタの概略構成を示す側面図である。図２は、図１のＡ−Ａ’断面をＢ矢視した図である。リアプロジェクタ１は、外装２の下面部２ｇ（図１参照）の内側である底面部に設けられた支持部６を有し、支持部６には、底面側から投射ユニット１０と、第１ミラー（反射ミラー）３０と、第２ミラー（反射ミラー）４０と、が取り付けられている。さらに、外装２の上面部２ｃの内側に第３ミラー（反射ミラー）５０が設けられている。第１ミラー３０、第２ミラー４０および第３ミラー５０の光を反射する面には、アルミニウム合金がコーティングされた反射膜が形成されている。本実施形態のアルミニウム合金は、光の反射率が９５％と高い種類の合金を用いている。
【００１７】
このような構成において、まず、投射ユニット１０は、画像信号に応じて変調された光を、第１ミラー３０へ向けて上面部２ｃの方向へ射出する。そのため、投射ユニット１０の射出側には、投射レンズ部２０が設けられている。第１ミラー３０は、投射レンズ部２０および第２ミラー４０の双方と対向するようにスクリーン３の側に設けられ、投射レンズ部２０からの光を反射させて第２ミラー４０の方向へ折り返す。第１ミラー３０は、平坦な平面形状を有している。
【００１８】
次に、第２ミラー４０は、第１ミラー３０に対向するように第２背面部２ｆの側に設けられ、第１ミラー３０からの光を反射させて、第３ミラー５０の方向へ進行させる。この第２ミラー４０は、非球面形状である曲面を有しており、第１ミラー３０からの光を、曲面によって、主にスクリーン３の横長方向へ広角化させている。このように、第２ミラー４０を曲面とすることで、光の反射と広角化とを同時に行うことが可能である。また、投射レンズ部２０による光の広角化のみならず、第２ミラー４０においても広角化することで、投射レンズ部２０のみにより光を広角化する場合に比べ、投射レンズ部２０の小型化が図れる。同時に、第１ミラー３０と第２ミラー４０との距離を短く設定することが可能である。
【００１９】
また、投射レンズ部２０、第１ミラー３０、第２ミラー４０は、支持部６により一体として構成されている。投射レンズ部２０、第１ミラー３０および第２ミラー４０を一体として構成することで、リアプロジェクタ１への組み付けや各部の位置等の調整を簡易に行うことが可能である。つまり、投射レンズ部２０は、一般的な投射レンズと同様に、芯出しを行いながら各レンズを鏡筒に組み込むことで形成されており、さらに、投射レンズ部２０、第１ミラー３０および第２ミラー４０のそれぞれの光軸を一致させながら、投射レンズ部２０と、第１ミラー３０と、第２ミラー４０とを支持部６に固定することにより、投射光学系を容易に形成することが可能である。
【００２０】
次に、第３ミラー５０は、外装２の上面部２ｃに設けられ、スクリーン３の近傍に位置していて、投写光学系の第２ミラー４０からの広角化された光を反射させて、スクリーン３の方向へ折り返す。第３ミラー５０で反射して折り返された光は、スクリーン３の下部側に対して、入射角αをなして入射する。第３ミラー５０は、第１ミラー３０と同様に、平坦な平面形状を有している。
【００２１】
このように、リアプロジェクタ１は、スクリーン３の中心に対して第３ミラー５０が上方側、投射ユニット１０が下方側に配置され、投射ユニット１０は、第３ミラー５０から見て真下の位置に設けられている。このため、投射レンズ部２０から第１ミラー３０へ入射する光と、第２ミラー４０から第３ミラー５０へ入射する光とは、上向きに進行し、第１ミラー３０から第２ミラー４０へ入射する光は、上向きの光とほぼ直交してスクリーン３の側から第２背面部２ｆの側へ略水平方向に進行する。このように、外装２内において、光をスクリーン３の面に沿う上向き方向へ主に進行させるため、リアプロジェクタ１の奥行きである、前面部２ａと第２背面部２ｆとの距離を短くして、リアプロジェクタ１を薄型化することが可能である。
【００２２】
次に、投射ユニット１０について、光の進行順に沿って詳細に説明する。図３（ａ）は、投射ユニットの構成を示す模式図、（ｂ）は、光変調部の詳細を示す模式図である。光源部１１の超高圧水銀ランプ１１ａは、赤色光、緑色光および青色光を含む光を供給する。超高圧水銀ランプ１１ａからの光は、リフレクタ１１ｂにより反射されて、略平行光としてインテグレータ１２へ射出される。インテグレータ１２は、超高圧水銀ランプ１１ａからの光の照度分布を略均一にするためのものである。インテグレータ１２によって照度分布が均一化された光は、偏光変換素子１３にて、特定の振動方向を有する偏光光に変換される。
【００２３】
偏光光に変換された光は、反射ミラー１４で光路を９０度折り曲げられた後、赤色光透過ダイクロイックミラー１５Ｒに入射する。赤色光透過ダイクロイックミラー１５Ｒは、赤色光を透過させ、緑色光、青色光を反射する。赤色光透過ダイクロイックミラー１５Ｒを透過した赤色光は、反射ミラー１５で光路を９０度折り曲げられ、光変調部１７の赤色光用の光変調部１７Ｒに入射する。なお、ダイクロイックミラーを透過しても光の偏光方向は変化しない。
【００２４】
ここで、赤色光用の光変調部１７Ｒは、図３（ｂ）に示すように、赤色光の入射するフィールドレンズ１７１と、入射側偏光板１７２と、液晶パネル１７３の赤色光用である液晶パネル１７３Ｒと、出射側偏光板１７４と、を有している。赤色光以外の緑色光および青色光に対応する光変調部１７の構成は、液晶パネル１７３がそれぞれの色光用の図示していない液晶パネル１７３である点を除き同構成である。光変調部１７は、各色光を画像信号に応じて変調する光変調素子として液晶パネル１７３を用いた透過型の液晶表示装置である。
【００２５】
光変調部１７Ｒに入射した赤色光の偏光光は、液晶パネル１７３Ｒによって画像信号に応じて変調され、色合成光学系であるクロスダイクロイックプリズム１８へ射出される。
【００２６】
また、赤色光透過ダイクロイックミラー１５Ｒで反射された緑色光および青色光は、光路を９０度折り曲げられた後、青色光透過ダイクロイックミラー１５Ｇに入射する。青色光透過ダイクロイックミラー１５Ｇは、緑色光を反射し、青色光を透過させる。青色光透過ダイクロイックミラー１５Ｇで反射された緑色光は、光変調部１７Ｇに入射する。光変調部１７Ｇに入射した偏光光は、緑色光用の液晶パネル１７３で変調され、クロスダイクロイックプリズム１８に射出される。
【００２７】
そして、青色光透過ダイクロイックミラー１５Ｇを透過した青色光は、２枚のリレーレンズ１６と、２枚の反射ミラー１５とを経由して、光変調部１７Ｂに入射する。なお、青色光にリレーレンズ１６を経由させるのは、青色光の光路が赤色光および緑色光の光路よりも長いためである。リレーレンズ１６を用いることにより、青色光透過ダイクロイックミラー１５Ｇを透過した青色光を、減衰させず、ほぼそのまま光変調部１７Ｂへ導くことが可能である。光変調部１７Ｂに入射した青色光の偏光光は、青色光用の液晶パネル１７３で変調され、クロスダイクロイックプリズム１８に射出される。なお、リレーレンズ１６へ入射する色光は、この場合、青色光であるが、赤色光または緑色光であっても良い。
【００２８】
色合成光学系であるクロスダイクロイックプリズム１８は、２つのダイクロイック膜１８ａ、１８ｂをＸ字型に直交するように配置して構成されている。ダイクロイック膜１８ａは、青色光を反射し、赤色光、緑色光を透過する。ダイクロイック膜１８ｂは、赤色光を反射し、青色光、緑色光を透過する。このように、クロスダイクロイックプリズム１８は、光変調部１７Ｒ、１７Ｇ、１７Ｂでそれぞれ変調された赤色光、緑色光および青色光を合成する。投射レンズ部２０は、クロスダイクロイックプリズム１８で合成された光を図２に示す第１ミラー３０の方向へ投射する。
【００２９】
次に、第１ミラー３０、第２ミラー４０および第３ミラー５０を有するリアプロジェクタ１における光の経路について説明する。図４は、投射レンズ部からスクリーンまでの光の経路を示す模式図である。図４は、スクリーン３の側から投射レンズ部２０、第１ミラー３０、第２ミラー４０および第３ミラー５０を見た図であり、光の経路Ｌを分かりやすく説明するために、スクリーン３の四隅に到達する４本の光の経路Ｌ1，Ｌ2，Ｌ3，Ｌ4を模式的に描いてある。なお、第２ミラー４０は、矩形形状であり、第３ミラー５０は、図１に示す第２背面部２ｆの側を上底とし前面部２ａ側を下底とする台形状をなしている。
【００３０】
光の経路Ｌ1，Ｌ2は、投射レンズ部２０から射出された光をスクリーン３の下部両隅へ導くものである。投射レンズ部２０から上向き方向へ射出された光は、光の経路Ｌ1，Ｌ2に沿って、まず、第１ミラー３０の上部に入射する。次に、第１ミラー３０で反射して略水平方向に進行して、第２ミラー４０の曲面部４１の辺４４の側に入射する。第２ミラー４０の辺４４の側は、緩い曲り曲面であって、この緩い曲面で反射した光は、台形状の第３ミラー５０の上底側両隅に入射する。
【００３１】
光の経路Ｌ3，Ｌ4は、投射レンズ部２０から射出された光をスクリーン３の上部両隅へ導くものである。投射レンズ部２０から上向き方向へ射出された光は、光の経路Ｌ3，Ｌ4に沿って、まず、第１ミラー３０の下部に入射する。次に、第１ミラー３０で反射して略水平方向に進行して、第２ミラー４０の曲面部４１の辺４４に対向する辺４３の側に入射する。第２ミラー４０の辺４３の側は、辺４４の側より急な曲りの曲面であって、この急な曲面で反射した光は、緩い曲面の辺４４の側で反射した光より広角化して、台形状の第３ミラー５０の下底側両隅に入射する。
【００３２】
第３ミラー５０の下底側両隅に入射した光は、それぞれ反射して、スクリーン３の上部隅へ入射する。また、第３ミラー５０の上底側両隅に入射した光は、それぞれ反射して、スクリーン３の下部隅へ入射する。この場合、第３ミラー５０の下底側からスクリーン３の上部までの距離は、第３ミラー５０の上底側からスクリーン３の下部までの距離より短い。そのため、第３ミラー５０の下底側からスクリーン３の上部までの間に光が広角化する割り合いは、第３ミラー５０の上底側からスクリーン３の下部までの間に光が広角化する割り合いに比べて小さい。第３ミラー５０からスクリーン３までの広角化の差異を補正するために、第２ミラー４０に曲面部４１を設け、曲面部４１によって光を広角化する割り合いを調節して反射させることにより、第３ミラー５０の下底側へ射出する光を、第３ミラー５０の上底側へ射出する光よりもさらに広角化している。これにより、スクリーン３へ投射された光によって表示されたカラー画像は、図３に示すクロスダイクロイックプリズム１８から射出されたカラー画像を均一に拡大したものになる。
【００３３】
以上のような構成の各種装置を収容する外装２の詳細構造について、次に、説明する。図５は、本発明のリアプロジェクタの外装構造を示す斜視図である。外装２は、図１を参照して説明したように、前面部２ａ、側面部２ｂ、上面部２ｃ、凸状側面部２ｄ、第１背面部２ｅ、第２背面部２ｆおよび下面部２ｇから成り、上面部２ｃから見た外装２の形状が凸状をなし、前面部２ａから見た外装２の形状が横長の四角形をなしている。また、外装２を形成するそれぞれの面は、所定形状の外装パネルによって形成されていて、外装パネルは、図５に示すように、各外装パネルの交差部分である稜線部５に沿って形成されている枠体（骨組部材）８に貼付されている。
【００３４】
枠体８は、断面形状が四角形の棒状部材であり、外装２の骨格を形成するものである。リアプロジェクタ１では、凸状の上面部２ｃまたは下面部２ｇを形成する外装パネルが貼付されるように凸状に成型された２つの凸状枠体８ａと、凸状枠体８ａが有する８つの角部の間を接続する直線状枠体８ｂとで、外装２の骨格が形成されている。つまり、凸状枠体８ａを、上面部２ｃの側および下面部２ｇの側にそれぞれ配置し、対向する双方の凸状枠体８ａの角部を直線状枠体８ｂによって接続している構成である。
【００３５】
このような構成によれば、外装２が凸状の形状を有することにより段差部が形成される。段差部は、外装パネルが貼付されると、凸状側面部２ｄおよび第１背面部２ｅ（図１参照）となる部分であり、図７に示す従来の上面６１ｃにおける斜面６１ｄの部分の形状を置き換えたものである。段差部において、凸状側面部２ｄと第１背面部２ｅとにより形成される稜線部５には、直線状枠体８ｂが配置されていて、その配置は、凸状の形状の内部側に位置している。この位置は、従来の上面６１ｃにおける斜面６１ｄの位置と比べ、さらに内部側に位置しているため、上面部２ｃは、外部からの付加圧などに抗する剛性をより有し、変形し難くなっている。
【００３６】
リアプロジェクタ１は、既述したように、薄型化のために第１ミラー３０、第２ミラー４０および第３ミラー５０を用いており、上面部２ｃの内面側にスクリーン３へ光を反射させる第３ミラー５０を設けている。第３ミラー５０からスクリーン３へ入射する光は、スクリーン３に対して、図２に示すように、入射角αをなしている。入射角αは、この場合、約１０度の鋭角である。そのため、第３ミラー５０の取り付け角度が変化すると、スクリーン３へ入射する光の位置も移動し、入射角αがより鋭角になるほど移動量が増える。リアプロジェクタ１においては、第３ミラー５０の取り付け角度の公差を０．０４度以内とし、スクリーン３へ投射するカラー画像がスクリーン３の範囲へ収まるように設定している。なお、リアプロジェクタ１に設けられている第３ミラー５０は、重さが２Ｋｇであって、台形状の４つの角部近傍で上面部２ｃに取り付けられている。
【００３７】
図７に示す略台形形状の外装６１を有する従来のリアプロジェクタ６０において、図示していない第３ミラー５０を上面６１ｃへ取り付けた場合、変位測定点Ｐ１およびＰ２での変位が第３ミラー５０の取り付け角度に換算して０．０４度以上になってしまい、カラー画像をスクリーン６２の所定位置へ正しく投射することが困難である。また、予め変形を見込んで取り付けても、上面６１ｃの剛性が不足しているため、第３ミラー５０が揺れ易くスクリーン６２に投射されたカラー画像が見難い状態となる。そのため、上面６１ｃの剛性の剛性を高めるために、上面６１ｃだけでなく、上面６１ｃと隣り合うすべての面の剛性を高めなくてはならない。
【００３８】
一方、図５に示す構成の外装２を有するリアプロジェクタ１では、同じ第３ミラー５０を上面部２ｃへ取り付けた場合、変位測定点Ｑ１およびＱ２での変位が第３ミラー５０の取り付け角度に換算して０．０００２５度であり、カラー画像のスクリーン３への投射にほとんど影響がないレベルである。詳細には、台形状の第３ミラー５０の下低側が取り付けられている変位測定点Ｑ２の変位が下面部２ｇ（図１参照）方向へ１．６６μｍ、変位測定点Ｑ１の値が下面部２ｇの方向へ１０．５μｍであって、その差８．８４μｍである。参考に、図７に示す従来の外装６１の形状を枠体で構成した場合、変位測定点Ｐ１と変位測定点Ｐ２との変位差が１０．４３μｍである。第３ミラー５０の取り付け角度に換算して０．０００２９８度である。枠体での構成による比較からも、リアプロジェクタ１における凸状の外装２の方が、リアプロジェクタ６０における略台形形状の外装６１より剛性がある。
【００３９】
この場合、上面部２ｃを形成する外装パネルは、凸状枠体８ａによって支持されており、上面部２ｃへの加重付加を支えるために、他の面を形成する外装パネルの剛性を高める必要がない。なお、枠体８は、この場合、アルミニウム製を用いているが、ポリカーボネイトのような剛性を有するプラスチックなどを使用することも可能である。
【００４０】
次に、凸状の外装２を有するリアプロジェクタ１は、剛性があるだけではなく、薄型化が可能であるため、壁掛け方式の取り付けをして、壁面の任意位置への設置が望ましい。図６（ａ）は、従来の形状のリアプロジェクタを壁掛け取り付けした状態を示す平面図、（ｂ）は、本発明のリアプロジェクタを壁掛け取り付けした状態を示す平面図である。図６において、従来のリアプロジェクタ６０と本発明のリアプロジェクタ１とは、リアプロジェクタ６０の奥行きであるスクリーン６２と背面６１ｅとの距離と、リアプロジェクタ１のスクリーン３と第２背面部２ｆとの距離と、が同じであって、壁面５５に設置部材５７または設置部材５８によって取り付けられている。設置部材５７，５８は、壁面５５にネジ留めされ、リアプロジェクタ１，６０を掛けるための図示していないフックを有している。
【００４１】
従来のリアプロジェクタ６０を壁掛け設置するために、両側の斜面６１ｄをそれぞれフックで掛けることは、斜面６１ｄの位置に合わせて、設置部材５７の距離を正確に設定しなくてはならず、設置部材５７の設置位置が限定されると共に、斜め位置に向いたフックを設けた特殊な形態の設置部材５７が必要である。また、斜面におけるモーメントの作用は、ねじり等が作用して複雑であり、壁掛け状態でのバランスの設定が困難である。これらの困難を解消して壁面５５にリアプロジェクタ６０を設置するには、図６（ａ）に示すように、背面６１ｅを介して設置部材５７に取り付けることが最も好ましい。この設置形態によれば、壁面５５と背面６１ｅとの間に設置部材５７を設けるため、設置部材５７の厚さ分だけ、リアプロジェクタ６０が余計に突出して、スクリーン６２は壁面５５から距離Ｓ１となる。距離Ｓ１は、リアプロジェクタ６０の奥行き長さと設置部材５７の厚さとの和である。
【００４２】
一方、本発明のリアプロジェクタ１では、図６（ｂ）に示すように、凸状側面部２ｄと第１背面部２ｅとによりリアプロジェクタ１の両側に形成されている段差部へ設置部材５８を設け、設置部材５８のフックに第１背面部２ｅの側を掛けて、壁掛け設置する。この設置形態によれば、段差部の位置内に設置部材５７を設置すれば良く、設置部材５７の設置位置が大きく限定されない。また、壁面５５と第１背面部２ｅとが略平行であり、モーメントの作用や壁掛け状態でのバランスの設定が容易である。さらに、壁面５５と第１背面部２ｅとの間に設置部材５８を設けるため、壁面５５とリアプロジェクタ１の突出面である第２背面部２ｆとを密着させることが可能である。従って、スクリーン３は、壁面５５からリアプロジェクタ１の奥行き長さだけ突出して、壁面５５から距離Ｓ２となる。
【００４３】
リアプロジェクタ１を壁掛け設置した場合の距離Ｓ２は、従来のリアプロジェクタ６０を壁掛け設置した場合の距離Ｓ１より短く、凸状の外装２を有するリアプロジェクタ１は、薄型の特徴をより活かした形態で、壁掛け設置が可能である。
【００４４】
以下、実施形態の効果をまとめて記載する。
【００４５】
リアプロジェクタ１の外装２の骨格を背面側へ突起した凸状の枠体８で形成することにより、外装パネルへ耐変形性の付加構成をほとんど施することなく、外装２の剛性を高めることが可能である。従って、外装パネルの厚みを厚くする補強などにより、外装２が大きくなることを回避可能である。
【００４６】
また、枠体８を用いた構成により、上面部２ｃの剛性が高まり、上面部２ｃへ第３ミラー５０を設置することが可能である。これにより、投射レンズ部２０からスクリーン３への光の主経路が、上面部２ｃと下面部２ｇとの方向に沿うように設定することが可能となり、リアプロジェクタ１の薄型化が図れる。
【００４７】
そして、リアプロジェクタ１は、外装２の凸状の段差部である第１背面部２ｅへ壁掛け用の設置部材５８を設けることにより、第２背面部２ｆと壁面５５とが密着するように設置でき、設置部材５８の厚さ寸法に関わらず、リアプロジェクタ１の奥行き長さ以上に壁面５５から突出しない。そのため、リアプロジェクタ１の薄型感を強調した設置が可能である。
【００４８】
また、本発明は上記の実施形態に限定されるものではなく、次に挙げる変形例のような形態であっても、実施形態と同様な効果が得られる。
【００４９】
リアプロジェクタ１の外装２の枠体８は、断面形状が四角形の棒状部材に限定されるものではなく、凸状枠体８ａを形成可能であれば、円形、楕円形または四角形以外の多角形であっても良い。さらに、枠体８の材質は、剛性が確保されれば、アルミニウム以外の材質であっても良い。
【００５０】
また、外装２の枠体８は、凸状枠体８ａと直線状枠体８ｂとで構成されているが、外装２が凸状の形状を有していれば、直線状枠体８ｂのみで枠体８を形成するなどの他の構成であっても良い。
【００５１】
そして、設置部材５８は、フックによってリアプロジェクタ１を壁掛け設置しているが、リアプロジェクタ１が壁面５５に掛けられれば、フック以外の構成であっても良い。
【００５２】
さらに、外装２は、枠体８を有する構成にすることが薄型化および軽量化の点で好ましいが、補強リブの設置や面厚の増加などにより外装パネルの剛性を増すことにより、枠体８の無い凸状の形状であっても良い。但し、外装２の外観が大きくなってしまう。
【００５３】
リアプロジェクタ１では、光変調部１７において、液晶パネル１７３を３つ備える三板式のプロジェクタで構成していたが、これに限らず、液晶パネルを１つ備える単板式のプロジェクタで構成しても良い。また、液晶パネルを２つ備えるプロジェクタや、液晶パネルを４つ以上備えるプロジェクタとして構成しても良い。また、光入射面と光射出面とが異なる透過型の液晶パネル１７３を用いているが、光入射面と光射出面とが同一となる反射型の液晶パネルを用いても良い。さらに、光学変調素子として液晶パネル１７３を用いることに限定せず、マイクロミラーを用いたデバイスなど、液晶以外の光変調素子を用いても良い。
【００５４】
また、光源部１１として、超高圧水銀ランプ１１ａを用いていたが、レーザダイオード、ＬＥＤ(Light Emitting Diode)、有機ＥＬ(Electro Luminescence)素子、シリコン発光素子等の各種固体発光素子を採用してもよい。
【図面の簡単な説明】
【００５５】
【図１】本発明のリアプロジェクタの外観を示す斜視図。
【図２】リアプロジェクタの概略構成を示す側面図。
【図３】（ａ）投射ユニットの構成を示す模式図、（ｂ）光変調部の詳細を示す模式図。
【図４】投射レンズ部からスクリーンまでの光の経路を示す模式図。
【図５】本発明のリアプロジェクタの外装構造を示す斜視図。
【図６】（ａ）従来の形状のリアプロジェクタを壁掛け取り付けした状態を示す平面図、（ｂ）本発明のリアプロジェクタを壁掛け取り付けした状態を示す平面図。
【図７】従来のリアプロジェクタの外観を示す斜視図。
【符号の説明】
【００５６】
１…リアプロジェクタ、２…筐体としての外装、２ａ…前面部、２ｂ…側面部、２ｃ…上面部、２ｄ…凸状側面部、２ｅ…第１背面部、２ｆ…第２背面部、３…スクリーン、５…稜線部、８…骨組部材としての枠体、８ａ…凸状枠体、８ｂ…直線状枠体、１０…投射ユニット、２０…投射レンズ部、３０…第１ミラー、４０…第２ミラー、５０…第３ミラー、５５壁面…、５７，５８…設置部材、Ｌ…光の経路、α…入射角、６０…リアプロジェクタ、６１…外装。
【図１】
2008151827.tif 000003
【図２】
2008151827.tif 000004
【図３】
2008151827.tif 000005
【図４】
2008151827.tif 000006
【図５】
2008151827.tif 000007
【図６】
2008151827.tif 000008
【図７】
2008151827.tif 000009